(57)【要約】      （修正有）【課題】光源基板と反射板とを簡易な構成で取付対象に固定可能な照明器具を提供する。【解決手段】照明器具１は、取付部２ａに固定される光源基板４と、光源基板４における発光部を除いた部分の少なくとも一部を覆う基台部を備えた反射板５とを備え、光源基板４と基台部とを取付部２ａに共締めする。【選択図】図１
2020161260.tif 000002
【特許請求の範囲】
【請求項１】
反射板を備える照明器具であって、
取付部に固定される光源基板と、
前記光源基板における発光部を除いた部分の少なくとも一部を覆う基台部を備えた反射板とを備え、
前記光源基板と前記基台部とを前記取付部に共締めする、
照明器具。
【請求項２】
前記基台部は、前記光源基板に接続する配線部材を収容する配線収容部を備える
請求項１記載の照明器具。
【請求項３】
前記配線収容部は、前記配線部材を張力止めする張力止め部を備える
請求項２記載の照明器具。
【請求項４】
前記張力止め部は、前記配線部材を挟み込む突起部で構成される
請求項３記載の照明器具。
【請求項５】
前記取付部は、器具本体の一面である
請求項１記載の照明器具。
【請求項６】
前記取付部は、ヒートシンクにおいてフィンを立設するためのベース部である
請求項１記載の照明器具。
【発明の詳細な説明】
【技術分野】
【０００１】
本発明は、反射板を有する照明器具に関する。
【背景技術】
【０００２】
特許文献１には、ＣＯＢ（Ｃｈｉｐ  Ｏｎ  Ｂｏａｒｄ）タイプのＬＥＤ（Ｌｉｇｈｔ  Ｅｍｉｔｔｉｎｇ  Ｄｉｏｄｅ）基板と、反射板とを取付対象の一例である筐体に固定する技術が開示されている。この技術では、まずＬＥＤ基板をネジで筐体に固定する。筐体には、導電体であるコネクト部を備えたコネクタが設けられており、コネクト部がＬＥＤ基板上の電極に接触することでＬＥＤ基板と取付対象とが電気的に接続する。そして、コネクタはネジ穴を有しており、反射板がコネクタにネジで固定される。
【先行技術文献】
【特許文献】
【０００３】
【特許文献１】特開２０１４−０７２２３０号公報
【発明の概要】
【発明が解決しようとする課題】
【０００４】
しかしながら、上述の技術では、取付対象にＬＥＤ基板と反射板とを固定するためにコネクタを必要とし、構成が複雑になるという問題がある。
【０００５】
本発明は、係る問題に鑑みてなされたものであり、光源基板と反射板とを簡易な構成で取付対象に固定可能な照明器具を提供することを目的とする。
【課題を解決するための手段】
【０００６】
上記課題を解決するために本発明に係る照明器具は、反射板を備える照明器具であって、取付部に固定される光源基板と、前記光源基板における発光部を除いた部分の少なくとも一部を覆う基台部を備えた反射板とを備え、前記光源基板と前記基台部とを前記取付部に共締めする。
【発明の効果】
【０００７】
上述の構成により、本発明に係る照明器具は、光源基板と反射板とを簡易な構成で取付対象に固定可能な照明器具を実現できる。
【図面の簡単な説明】
【０００８】
【図１】（ａ）本発明の一実施形態に係る照明器具を表す断面模式図、（ｂ）図１の照明器具の平面図
【図２】（ａ）図１の照明器具が備える反射板を表す下面斜視図、（ｂ）同反射板の側面図、（ｃ）同反射板の上面斜視図、（ｄ）同反射板の張力止め部について説明するための図
【図３】（ａ）図１の照明器具が備える光源基板を表す図、（ｂ）光源基板と反射板とを固定した状態を説明するための底面図、（ｃ）光源基板と配線部材との接続を示す図、（ｄ）光源基板と反射板とを固定した状態を説明するための上面図、（ｅ）張力止め部により、配線部材を張力止めした状態について説明するための図
【図４】図１（ａ）の部分Ａの拡大図
【発明を実施するための形態】
【０００９】
＜１．第１の実施形態＞
以下、本発明の一実施形態に係る照明器具１について図面を参照しながら説明する。
【００１０】
照明器具１は、図１（ａ）に示すように、器具本体２、コーン３、光源基板４、反射板５、拡散カバー６、配線部材９、取付バネ１０ａ〜１０ｃ及びヒートシンク１２を備え、天井に設ける取付穴に取り付けられるダウンライトである。光源には、一例として、ＬＥＤ（Ｌｉｇｈｔ  Ｅｍｉｔｔｉｎｇ  Ｄｉｏｄｅ）が用いられている。なお、説明の便宜上、以下、図１（ａ）に示すように、照明器具１が天井に配された場合に床側を下、床からみて天井側を上として説明する。
【００１１】
器具本体２は、有底筒状であり、その底部分である底板部２ａは、筒内側の面が一例として光源基板４及び反射板５を取り付けるための取付部となっている。また、図１（ｂ）に示すように、底板部２ａにおける外部に露出する側の面、すなわち取付部の裏側の面にはヒートシンク１２が配される。
【００１２】
コーン３は、底面に開口を有する有底筒状部分と、下方に向けて拡径する拡径筒状部分とを有する。コーン３は、有底筒状部分の底面にネジ７ａ及びネジ７ｂが挿通され器具本体２の取付部に固定される。また、コーン３は、拡径筒状部分の内周面は鏡面コーディングが施されており反射板の役割を果たす。
【００１３】
光源基板４は、一例としてＣＯＢであり、図３（ａ）に示すように、矩形の基板４１の中央に発光部４２が配され、基板４１の四隅に、発光部４２を挟んで対角に電極部４３ａ及び電極部４３ｂ、並びにネジ穴４４ａ及びネジ穴４４ｂが配されている。発光部４２は、例えば、直径６ｍｍから３３ｍｍの円形である。電極部４３ａは一例としてアノードであり、電極部４３ｂはカソードである。電極部４３ａ及び電極部４３ｂは、配線部材９を介して電源装置（図示せず）に電気的に接続され、電源装置から光源基板４に電力が供給される。配線部材９は、絶縁体である被覆部９１ａにより被覆された電線部９２ａ、及び被覆部９１ｂにより被覆された電線部９２ｂを含む。図３（ｃ）に示すように電線部９２ａの一端が電極部４３ａに、一例としてはんだ付け等により電気的に接続され、電線部９２ｂの一端が電極部４３ｂに接続される。
【００１４】
反射板５は、図２（ａ）〜図２（ｄ）に示すように、略矩形の板状であり中心部に開口Ｈを有する基台部５１と、基台部５１に一体的に形成され、下端に向かうにつれて拡径するドーム状の反射部５３とを備える。
【００１５】
基台部５１は、図２（ａ）に示すように、下側からみると、反射部５３を通して、基台部５１中央の円環状の部分が露出し（下側からみて露出している部分を以下「露出部５１ａ」という）、上側からみると、図２（ｃ）に示すように矩形全体が見える。
【００１６】
基台部５１は、ネジ穴５１３ａ及びネジ穴５１３ｂ、並びに配線収容部５１９ａ及び配線収容部５１９ｂを備える。
配線収容部５１９ａは、上側からみて凹状の部分であり、図３（ｂ）及び図３（ｄ）に示すように、基台部５１が光源基板４に被せられた場合に電線部９２ａ及び被覆部９１ａの一端部を収容する。配線収容部５１９ｂは、配線収容部５１９ａと同様に、上側からみて凹状の部分であり、図３（ｂ）及び図３（ｄ）に示すように、基台部５１が光源基板４に被せられた場合に電線部９２ｂ及び被覆部９１ｂの一端部が収容される。配線収容部５１９ａ及び５１９ｂを備えることにより、反射板５中に配線部材を収容することができ、別途配線を配置するスペースを設ける必要がなくなるので、省スペース化を図ることができる。
【００１７】
配線収容部５１９ａには、図２（ｃ）及び図２（ｄ）に示すように、長辺側の両側壁に突出部５１５ａ及び突出部５１５ｂが形成されている。突出部５１５ａ及び突出部５１５ｂは、間隔が配線部材９の断面直径よりも少し狭く形成されており、配線部材９に食い込み挟みこんで張力止めする張力止め部として機能する。この張力止めにより、配線部材９に対し力が掛かった場合であっても、電極部４３ａと電線部９２ａとの接続部分に直接的に力が加わるのを避け又は緩和し、電極部４３ａと電線部９２ａとの電気的接続を外れにくくすることができる。
【００１８】
また、配線収容部５１９ｂには、配線カバー部５１５ａと同様に、長辺側の両側壁に突出部５１７ａ及び突出部５１７ｂが形成されている。突出部５１７ａ及び突出部５１７ｂは、間隔が配線部材９の径よりも少し狭く形成されており、配線部材９に食い込み挟みこんで張力止めする張力止め部として機能する。この張力止めにより、配線部材９に対し力が掛かった場合であっても、電極部４３ｂと電線部９２ｂとの接続部分に直接的に力が加わるのを避け又は緩和し、電極部４３ｂと電線部９２ｂとの電気的接続を外れにくくすることができる。また、配線収容部（５１９ａ及び５１９ｂ）の長辺側の両側壁に突出部５１５ａ及び突出部５１５ｂを形成するという簡易な構成により、張力止めを実現することができる。
【００１９】
基台５１を下側からみると、配線収容部５１９ａ及び配線収容部５１９ｂに相当する部分が盛り上がっている（配線カバー部５１１ａ及び配線カバー部５１１ｂ）。これにより、配線収容部５１９ａ及び配線収容部５１９ｂにおける配線部材を収容可能な空間を大きくとることができる。なお、基台５１を下側からみて、配線収容部５１９ａ及び配線収容部５１９ｂに相当する部分については、必ずしも盛り上げる必要は無くフラットな構成としてもよい。また、基台部５１は、配線部材９を収容するスペースを有し張力止めできる構成であれば足り、必ずしも配線収容部５１９ａ及び配線収容部５１９ｂのような凹状の部分を形成しなくてもよい。
【００２０】
反射部５３は、内周面を光軸方向および周方向に分割した複数の小領域のそれぞれにファセットリフレクタが設けられている。ファセットリフレクタは、例えば、周方向において６°ごとに６０個設けられ、個々のファセットリフレクタは平面状の反射面を有する。反射部５３は、下端側に拡散カバー６を把持する爪部５３ａ〜５３ｄを有する。
【００２１】
反射板５は、基台部５１のネジ穴５１３ａと光源基板４のネジ穴４４ａとが重なり、ネジ穴５１３ｂと光源基板４のネジ穴４４ｂとが重なり、図３（ｃ）に示すように発光部４２が開口Ｈを通して露出し、光源基板４の発光部４２を除いた部分の少なくとも一部を基台部５１が覆うよう配され、図１（ａ）及び図３（ｂ）に示すようにネジ穴５１３ａとネジ穴４４ａとを貫通するネジ８ａ、ネジ穴５１３ｂとネジ穴４４ｂとを貫通するネジ８ｂにより器具本体２、より具体的には底板部２ａに、光源基板４と共締めされて固定される。このように共締めすることで、光源基板４、反射板５及び器具本体２をより密着させ、かつ個別に固定するよりも少ないネジによって固定することができる。
【００２２】
拡散カバー６は、ガラス又はポリカーボネイトで構成された拡散板である。拡散カバー６は、反射板５は、爪部５３ａ〜５３ｄにより、反射板５の下端側に固定される。これにより所望の光学特性を得るとともに、発光部４２の表面が位置する反射板５内部への塵等の侵入も妨げることができる。
【００２３】
取付バネ１０ａ〜１０ｃは、器具本体２に取り付けられ、照明器具１を取付対象である天井に固定するための板バネである。取付バネ１０ａ〜１０ｃは、それぞれ器具本体２の周囲に等角度間隔で設けられ、径方向外側へ向けて張り出している。照明器具１を天井に固定する場合には、取付バネ１０ａ〜１０ｃが、それぞれ、天井を構成する板（天井板）の上面に弾性接触する。そして、器具本体２のフランジ部が天井板の下面に接触し、フランジ部と取付バネ１０ａ〜１０ｃとの間に天井板が挟まれ、これにより、天井板に対して照明器具１が固定される。
【００２４】
ヒートシンク１２は、器具本体２の底板部の上面に配される、複数の放熱フィンを有する放熱部である。ヒートシンク５２は、光源基板４において発生された熱を空気中に放散する。
【００２５】
以上説明したように、照明器具１では、光源基板４、反射板５及び器具本体２をより密着させ、かつ個別に固定するよりも少ないネジによって固定することができ、また、電極部（４３ａ、４３ｂ）と電線部（９２ａ、９２ｂ）との電気的接続を外れにくくなるように固定することができる。
＜２．変形例＞
以上、本発明に係る照明器具の実施形態を説明したが、例示した照明器具を以下のように変形することも可能であり、本発明が上述の実施形態で示した通りの照明器具に限られないことは勿論である。
【００２６】
（１）上述の実施形態では、照明器具１がダウンライトである例について説明したが、これに限らず、スポットライト、施設照明など形状の全く異なる器具である場合にも本発明は適用可能である。
【００２７】
（２）上述の実施形態では、ヒートシンク１２を構成する各フィンを器具本体２の底板部２ａの上面に取り付けることとしたが、これに限る必要はなく、各フィンが取り付けられる態様であれば足りる。例えば、ヒートシンク１２は、板状のベース部を備えることとし、各フィンを板状のベース部の上面に取り付けることとしてもよい。
【００２８】
これにより、ヒートシンク１２を、器具本体２とは独立した部材として構成することができる。
【００２９】
（３）上述の実施形態では、光源基板４及び反射板５を取り付ける取付部は器具本体２の底部分である底板部２ａとしたが、これに限る必要はなく、光源基板４及び反射板５が取り付けられれば足りる。例えば、ヒートシンク１２を構成する各フィンを、板状のベース部の上面に取り付けることとし、ベース部の下面を、光源基板４及び反射板５を取り付ける取付部としてもよい。
【００３０】
（４）上述の実施形態では、張力止め部として、突出部５１５ａ及び５１５ｂを用いていたが、これに限らず、配線部材９に対し力が掛かった場合であっても、電極部４３ａと電線部９２ａとの接続部分に直接的に力が加わるのを避け又は緩和し、電極部４３ａと電線部９２ａとの電気的接続を外れにくくすることができる構成であれば足りる。
【００３１】
例えば、配線カバー部５１１ａ及び５１５ａそれぞれの、長辺側の両側壁の間隔を配線部材９の径よりも少し狭く形成し、両側壁で配線部材９を挟みこんで圧力を加えることとしてもよいし、更に、両側壁の表面をすべりにくいよう形状、例えば、凹凸面、やすり面などのようにしてもよい。
【００３２】
（５）上述の実施形態及び各変形例を、部分的に組み合せてもよい。
＜３．補足＞
以下、更に本発明の一実施形態としての照明器具の構成及びその変形例と効果について説明する。
【００３３】
（１）本発明の一実施形態に係る照明器具は、反射板を備える照明器具であって、取付部に固定される光源基板と、前記光源基板における発光部を除いた部分の少なくとも一部を覆う基台部を備えた反射板とを備え、前記光源基板と前記基台部とを前記取付部に共締めする。
【００３４】
この構成により、光源基板と反射板とを簡易な構成で取付対象に固定可能な照明器具を実現できる。
【００３５】
（２）また、前記基台部は、前記光源基板に接続する配線部材を収容する配線収容部を備えることとしてもよい。
【００３６】
この構成により、反射板中に配線部材を収容することができ、別途配線を配置するスペースを設ける必要がなくなるので、省スペース化を図ることができる。
【００３７】
（３）また、前記配線収容部は、前記配線部材を張力止めする張力止め部を備えることとしてもよい。
【００３８】
この構成により、配線部材と光源基板との接続を外れにくくすることができる。
【００３９】
（４）また、前記張力止め部は、前記配線部材を挟み込む突起部で構成されることとしてもよい。
【００４０】
この構成により、張力止めを簡易な構成で実現することができる。
【００４１】
（５）また、前記取付部は、器具本体の一面であることとしてもよい。
【００４２】
この構成により、光源基板と反射板とを器具本体に固定する態様で照明器具を実現できる。
【００４３】
（６）また、前記取付部は、ヒートシンクにおいてフィンを立設するためのベース部であることとしてもよい。
【００４４】
この構成により、光源基板と反射板とをヒートシンクに固定する態様で照明器具を実現できる。
【符号の説明】
【００４５】
１  照明器具
２  器具本体
２ａ  底板部（取付部）
３  コーン
４  光源基板
５  反射板
６  拡散カバー
７ａ、７ｂ、８ａ、８ｂ  ネジ
９  配線部材
１０ａ、１０ｂ、１０ｃ  取付バネ
１２  ヒートシンク
４１  基板
４２  光源部
４３ａ、４３ｂ  電極部
４４ａ、４４ｂ  ネジ穴
５１  基台部
５２  ヒートシンク
５３  反射部
９１ａ、９１ｂ  被覆部
９２ａ、９２ｂ  電線部
【図１】
2020161260.tif 000003
【図２】
2020161260.tif 000004
【図３】
2020161260.tif 000005
【図４】
2020161260.tif 000006